(57)【要約】【課題】  予備発光および本発光が連続的に行なわれる場合においても、本発光時の閃光発光の光量の適正化を図る。【解決手段】  赤目防止モードが選択され、予備発光と本発光が連続的に行なわれるときに、本発光の発光時間をメインコンデンサの電圧を電圧モニタにより検知して調節し、このときに所定の時間３０μｓｅｃよりも基準発光時間Ｔｆが短い場合には、発光遅れ時間に相当するｔ０も含めて調節を行なう。【選択図】    図５
2004252413.tif 000002
【特許請求の範囲】
【請求項１】
被写体の撮影を行なうカメラにおいて、
撮影に先立って予備発光を行なうとともに撮影に同期して本発光を行なう閃光発光装置を備え、
該閃光発光装置が、
閃光発光用の電荷を蓄積しておくメインコンデンサと、
前記メインコンデンサからの電力の供給を受けて閃光を発光する発光部と、
本発光に先立って前記メインコンデンサの電圧を検知する電圧モニタと、
前記電圧モニタで得られた検知電圧に基づいて、前記メインコンデンサの電圧が所定の基準電圧にあったときに所定の基準発光時間発光したときと同じ光量
が得られるように発光時間を求める発光時間演算部と、
前記発光時間演算部で求められた発光時間だけ閃光が発せられるように発光を制御する発光制御部とを備えたことを特徴とするカメラ。
【請求項２】
このカメラは、本発光時の絞りが可変なものであって、前記基準発光時間は本発光時の絞りに応じた時間であることを特徴とする請求項１記載のカメラ。
【請求項３】
温度を検知する温度センサを備え、前記基準発光時間は前記温度センサで検知された検知温度に応じた時間であることを特徴とする請求項１記載のカメラ。
【請求項４】
被写体距離を検知する距離センサを備え、前記基準発光時間は、前記距離センサで検知された被写体距離に応じた時間であることを特徴とする請求項１記載のカメラ。
【請求項５】
前記発光時間演算部は、基準発光時間を求める演算式を記憶しておくものであることを特徴とする請求項１記載のカメラ。
【請求項６】
前記発光時間演算部は、前記基準発光時間をＴｆ、前記基準電圧をＶｆ、前記検知電圧をＶ，発光開始指示から発光開始までの時間遅れに相当する定数をｔ０、発光時間をＴとしたとき、該発光時間Ｔを、
Ｔ＝（Ｔｆ−ｔ０）×（Ｖｆ／Ｖ）＋ｔ０  …  （１）
に従って求めるものであることを特徴とする請求項５記載のカメラ。
【請求項７】
前記発光時間演算部は、前記発光時間Ｔｆが３０μｓｅｃ以上の所定時間Ｔ１よりも長時間であるときに、前記発光時間Ｔを、前記（１）式に代えて、
Ｔ＝Ｔｆ×（Ｖｆ／Ｖ）  …  （２）
に従って求めるものであることを特徴とする請求項６記載のカメラ。
【発明の詳細な説明】
【技術分野】
【０００１】
本発明は、被写体の撮影を行なうカメラに関する。
【背景技術】
【０００２】
カメラには閃光を被写体に向けて発する閃光発光装置を備えたものが多い。このようなカメラでは、撮影操作に同期して閃光が発せられる。この閃光発光撮影を行なう場合に、被写界輝度および装填されているフィルムのフィルム感度情報などに基づいて撮影時の絞りが定められ、その絞りに応じて閃光発光の光量が調節される。このように閃光の光量を調節することによってフィルムに与えられる光量が適正化される。
【０００３】
この光量を調節する方法の１つとして、閃光発光の発光時間によって光量を調節する方法がある。このような方法のものにおいてはカメラ内部の温度によって電池やメインコンデンサなどの特性が変わるため、カメラ内部の温度を検知してその温度に応じて発光時間を調節するものが多い。その中には、温度センサでカメラ内の温度を検知し、この検知した温度情報に基づいて発光時間が調節されるカメラもある（例えば、特許文献１参照）。
【０００４】
また、特許文献２には、被写体距離検出時に被写体に向けて補助閃光を照射する焦点検出用予備照射装置において、補助光発光のための閃光発光時の充電電圧を検出し測定時における発光光量を可変とする技術が開示されている。
【０００５】
また、フォーカルプレーンシャッタを走行させているときにメインコンデンサの電圧が低下して閃光が停止することがあるので、これを防止するために閃光発光の発光光度を露光時間に亘ってフラットにして、光量は不足気味にはなるがフィルム全体に均一に光量を与えるようにしたカメラもある（特許文献３参照）。
【特許文献１】特開平２０００−７２３１１号公報
【特許文献２】特開平７−９２３７１号公報
【特許文献３】特開平７−１２０８１３号公報
【発明の開示】
【発明が解決しようとする課題】
【０００６】
ここで、カメラの中にはフラッシュ撮影における赤目防止あるいは低減するため撮影の直前に予備発光を行ないその後撮影と同期して本発光を行なう赤目防止モードを有するカメラがある。このタイプのカメラで赤目防止モードを設定してフラッシュ撮影を行なうと、予備発光によってメインコンデンサの電圧が低下するため本発光の光量を適正な光量にすることが難しいという問題がある。
【０００７】
上記特許文献１には、カメラ内の温度に応じて発光時間を補正する技術が開示されているが、メインコンデンサの電圧の低下に起因する光量変動の補正とは無関係である。
【０００８】
また、上記特許文献２は、閃光発光手段のコンデンサの電圧を検出して補助光の発光光量を変更しているが、コンデンサの電圧を複数しきい値と比較して発光光量を変更するなど発光光量を大雑把に変更する技術であり、フラッシュ撮影用としては採用することができない。
【０００９】
また特許文献３は、やはりフラッシュ内部のメインコンデンサの電圧を検出して補正しているが、露光不足気味になるのを許容してフラッシュ光が、フォーカルプレーンシャッタの幕速とシャッタスピードとによって決まる発光時間持続するように発光光度を調整するものであり、この技術では適正な光量の本発光を得ることはできない。
【００１０】
本発明は、上記事情に鑑み、予備発光および本発光が連続的に行なわれる場合においても、本発光時の閃光発光の光量の適正化を図れるカメラを提供することを目的とする。
【課題を解決するための手段】
【００１１】
上記課題を達成する本発明のカメラは被写体の被写体の撮影を行なうカメラであって、
撮影に先立って予備発光を行なうとともに撮影に同期して本発光を行なう閃光発光装置を備え、
その閃光発光装置が、
閃光発光用の電荷を蓄積しておくメインコンデンサと、
上記メインコンデンサからの電力の供給を受けて閃光を発光する発光部と、
本発光に先立って前記メインコンデンサの電圧を検知する電圧モニタと、
上記電圧モニタで得られた検知電圧に基づいて、上記メインコンデンサの電圧が所定の基準電圧にあったときに所定の基準発光時間で閃光発光したときと同じ光量が得られるように発光時間を求める発光時間演算部と、
上記発光時間演算部で求められた発光時間だけ閃光が発せられるように発光を制御する発光制御部とを備えたことを特徴とする。
【００１２】
上記本発明のカメラによれば、撮影に先立って予備発光を行なうとともに撮影に同期して本発光が行なわれるときに、上記電圧モニタで得られた検知電圧に基づいて、上記メインコンデンサの電圧が所定の基準電圧にあったときに所定の基準発光時間で閃光発光したときと同じ光量が得られるように発光時間が上記発光時間演算部で求められ、発光時間が調節される。この調節された発光時間だけ閃光が発せられるように上記発光制御部によって閃光発光が制御される。こうして予備発光と本発光とが連続的に行なわれたときに、メインコンデンサの電圧に応じて本発光の発光時間を調整することで本発光時の光量を適正な光量にすることができる。
【００１３】
ここで、このカメラは、本発光時の絞りが可変なものであって、前記基準発光時間は本発光時の絞りに応じた時間であることが好ましい。
【００１４】
ここで、「本発光時」は、実際に本発光が行なわれるタイミングをいう。たとえば絞り兼用のプログラムシャッタの場合、時間の経過に従ってシャッタが除々に開いて最大開口に達するが、シャッタが除々に開いていき被写体距離や被写体輝度に応じた絞り径に達したタイミングで本発光を行なうタイプのカメラの場合は正にその本発光が行なわれるタイミングの絞りをいう。
【００１５】
また、常に最大開口のタイミングで本発光が行なわれるタイプのカメラであっても例えばズームレンズを備え、最大開口の開口径がそのズームレンズのズーム位置に応じて異なるタイプの場合は、その本発光が行なわれる撮影におけるズーム位置に応じた最大開口が「本発光時の絞り」である。また、本発明は絞りとシャッタとが別々に設けられたタイプのカメラにも適用可能であり、「本発光時の絞り」は、その本発光が行なわれる撮影における絞り径をいう。
【００１６】
こうすることにより、絞りが可変なプログラムシャッタを用いたカメラにおいて、本発光時の絞りに応じた時間に発光時間を的確に調節することができる。
【００１７】
また、このカメラが温度を検知する温度センサを備え、上記基準発光時間は上記温度センサで検知された検知温度に応じた時間であることが好ましい。
【００１８】
そうすると、カメラの温度に応じた発光時間で閃光を発することができ、カメラの温度が変化しても光量の適正化が図られる。
【００１９】
さらに、被写体距離を検知する距離センサを備え、上記基準発光時間は上記距離センサで検知された被写体距離に応じた時間であることが好ましい。
【００２０】
そうすると、発光時間を被写体距離に応じた時間に正確に調節することができる。
【００２１】
また、上記発光時間演算部は、発光開始指示から発光停止指示までの時間を求める演算式を記憶しておくものであることが好ましく、上記発光時間演算部は、上記基準発光時間をＴｆ、上記基準電圧をＶｆ、上記検知電圧をＶ，発光開始指示から発光開始までの時間遅れに相当する定数をｔ０、発光時間をＴとしたとき、その発光時間Ｔを、
Ｔ＝（Ｔｆ−ｔ０）×（Ｖｆ／Ｖ）＋ｔ０  …  （１）
に従って求めるものであることが望ましい。
【００２２】
このようにすると、上記検知電圧Ｖおよび発光開始指示から発光開始までの時間遅れに相当する定数ｔ０を考慮して発光時間を求めることができる。
【００２３】
また、上記発光時間演算部は、上記基準発光時間Ｔｆが３０μｓｅｃ以上の所定時間Ｔ１よりも長時間であるときに、上記発光時間Ｔを、（１）式に代えて
Ｔ＝Ｔｆ×（Ｖｆ／Ｖ）  …  （２）
に従って求めるものであることが望ましい。
【００２４】
上記発光時間Ｔが所定時間Ｔ１ここでは３０μｓｅｃよりも長時間であるときには、式（２）で求めても、式（１）で求められる発光時間とほぼ同等の発光時間が得られるので、式（２）に従って発光時間を求める。そうすると、上記発光時間演算部の演算が簡略化され、発光時間演算部の負荷が軽減される。
【発明の効果】
【００２５】
以上説明したように、本発明によれば、予備発光および本発光が連続的に行なわれる場合においても、本発光時の閃光発光の光量の適正化が図られる。
【発明を実施するための最良の形態】
【００２６】
以下図面を参照して本発明の実施の形態を説明する。
【００２７】
図１は、本発明の一実施形態であるカメラを斜め前方から見た斜視図である。
【００２８】
図１に示すカメラ１の前面には、撮影レンズ１０１を内蔵するレンズ鏡胴１０が中央に、測距用の投光窓１１ａおよび受光窓１１ｂと、ファインダ１２と、ＡＥ受光窓１３とがレンズ鏡胴の上方に備えられている。このレンズ鏡胴１０に備えられている撮影レンズ１０１は、複数のレンズからなるズームレンズであり、背面に設けられているズームレバーの操作（不図示）に応じてレンズ鏡胴１０が光軸方向に前後して、レンズ鏡胴内に内蔵される複数のレンズの相対位置が変更されて焦点距離が調節される。また、カメラボディ上部には突出して閃光発光部１４が設けられており、その閃光発光部１４には閃光発光用の窓が設けられている。その窓には閃光発光部内にある発光管（不図示）を保護するためのプロテクタ１４ａが嵌め込まれている。
【００２９】
図１に示すカメラの上面にはレリーズボタン１５が設けられており、ユーザによってこのレリーズボタン１５が半押しされたら、カメラ内部に配備されている測光装置および測距装置により被写界輝度および被写体距離が検知される。このときには図１に示すＡＥ受光窓１３から導かれた光がカメラ内部に配備された測光部に供給され、その測光部によって被写界輝度が検知され、またカメラ内部に配備された投光用の光源からの光を、投光窓１１ａを通して被写体に向けて投光して、この投光した光が被写体に当たって戻ってくる戻り光が受光窓１１ｂを通してカメラ内部の距離センサで検知され、被写体距離が測定される。
【００３０】
この被写界輝度や装填されている写真フィルムのフィルム感度等に基づいて露出が定められ、被写体距離に基づいてピントが調節される。本実施形態のカメラにはプログラムシャッタが配備されており、露出に応じてプログラムシャッタが駆動されるようになっている。
【００３１】
その後ユーザによってレリーズボタン１５が全押しされたら、プログラムシャッタが駆動されて撮影が行なわれる。またレリーズボタン１５が半押しされ測光が行なわれたときに被写界輝度が低輝度で、閃光発光を要すると後述する制御部で判断されたときには、プログラムシャッタにより形成される、時間的に連続的に変化する絞りのうちの閃光発光時の絞りや、検知された被写体距離などに基づいて発光時間が定められて、その定められた発光時間で閃光発光部１４にあるプロテクタ１４ａを通して被写体に向けて閃光が発せられる。
【００３２】
このカメラは通常発光モード、赤目防止モードといった発光モードを有し、発光モード選択ボタン（不図示）によって通常発光モードが選択されているときには通常の閃光発光が行なわれ、赤目防止モードのときには予備発光と本発光とが連続的に行なわれる。この予備発光では人の眼を閃光に慣れさせるためパルス状の閃光が被写体に向けて繰り返し発せられ、その後本発光に移行して閃光が被写体に向けて所定の発光時間で発せられる。この所定の発光時間が上記の絞りや被写体距離のほか、温度情報とメインコンデンサの電圧情報にも基づいて後述する制御部によって求められ、閃光発光が行なわれる。
【００３３】
図２は、本実施形態のカメラの内部構成を示す図である。
【００３４】
図２にはカメラ１の全体を制御する制御部２１と、被写界輝度を検出する測光部２２と、絞り兼用プログラムシャッタを開閉させるシャッタ駆動部２３と、被写体までの距離を測定する測距センサ２４と、その測距センサ２４による被写体距離の検知結果に基づいて撮影レンズを合焦点位置に駆動する駆動制御部２５と、閃光発光を行なう閃光発光制御部２８と、フィルム感度を検出するフィルム感度検出部３３とが示されている。
【００３５】
図２に示すように本実施形態のカメラ１は制御部２１によってカメラ全体の動作が制御される。前述したように本実施形態のカメラ２１のレリーズ釦は半押しと全押しの２つの操作態様を有しているので、それら２つの操作態様に応じてそれらの操作態様を制御部２１に伝えるための２つのスイッチ２９，３０が設けられている。図１に示すレリーズ釦１５が半押しされたときにはスイッチ２９が閉じ、このスイッチ２９が閉じたことによって半押しされたことが制御部２１に検知され、レリーズ釦１５が全押しされたときにはスイッチ２９とスイッチ３０が双方閉じ、これらスイッチ２９，３０が閉じたことによって全押しされたことが制御部２１に検知される。
【００３６】
制御部２１ではレリーズ釦１５が半押しされてスイッチ２９が閉じたときに測距センサ２４からの被写体距離の測定結果を受けて、駆動制御部２５にその被写体距離に応じた位置にレンズを駆動するよう指令を出す。駆動制御部２５ではその指令を受けてフォーカスレンズを合焦点位置に駆動する。
【００３７】
また、制御部２１では半押しされたときに測光部２２から被写界輝度の測定結果も受けて、この測定結果とさらにフィルム感度検出部３３からのフィルム感度とに基づいて露出が定められる。このカメラではプログラムシャッタが採用され、露出に応じた絞りとシャッタの組み合わせが決められているので、制御部からフィルム感度を示すデータが駆動制御部に供給されたら、全押しのタイミングで、そのデータに応じてシャッタ駆動部２３によりシャッタの開閉状態が調節される。
【００３８】
また、測光部２２での測光で低輝度であることが制御部２１により検知された場合には、制御部２１によって、発光時の絞り径、フィルム感度、および被写体距離に基づいて、閃光発光のフル発光からの減光量が求められ、その減光量が閃光発光制御部２８に伝えられる。この閃光発光制御部２８にはカメラの内部温度検知用の温度センサ２９０が備えられているので、この閃光発光制御部２８では、伝えられてきた減光量と内部温度とに基づいて基準発光時間が求められ、通常発光モードの場合は、通常発光モードの場合は、シャッタがシャッタ駆動部２３により駆動されている最中の所定の絞り径に達したタイミングで、その基準発光時間だけ閃光が発せられる。
【００３９】
また、赤目防止モードでは、シャッタが開くよりも前に赤目防止のための予備発光が行なわれ、それに続いて、シャッタが開いて所定の絞り径に達したタイミングで本発光が行なわれるが、その本発光の直前にメインコンデンサＭＣ（図３参照）の電圧がモニタされ、上記のようにして求めた基準発光時間に基づいて、メインコンデンサの電圧が所定の基準電圧にあったときに基準発生時間だけ発光したときと同じ発光光量が得られるように再度発光時間が求められ、このようにして求められた発光時間だけ閃光が発せられる。なお、図２には前述したズームレバー３１とモード選択ボタン３２も図示されている。
【００４０】
図３は、その閃光発光制御部２８の内部構成を示す図である。
【００４１】
図３に示すように閃光発光制御部２８には、マイクロコンピュータ（マイコン）２８０と、キセノン管Ｘｅのトリガ電極にトリガ信号を供給する発光回路２８１と、そのキセノン管Ｘｅに電力を供給するメインコデンサＭＣと、そのキセノン管Ｘｅにマイコン２８０からの指示に基づいて閃光を行なわせるトランジスタＩＧＢＴと、そのメインコンデンサＭＣの電圧をモニタするための電圧モニタ２８２とが配備されている。また、この閃光発光制御部２８には、閃光発光を行なった後、および本実施形態のカメラの未使用時間が長時間にわたったときにメインコンデンサＭＣに充電を行なうための充電回路２８３が配備されている。なお、この図３には、キセノン管Ｘｅも示されているが、このキセノン管Ｘｅは図１に示す閃光発光部１４の中に配置されている。
【００４２】
ここで図３を参照してマイコン内部の機能を説明する。
【００４３】
マイコン２８０を機能別に分けると、温度センサ２９０からの検出温度が伝えられる温度検出部２８０ａと、電圧モニタ２８２からの信号をデジタル信号に変換するＡ／Ｄ変換部２８０ｂと、それらによって検出された電圧と温度のほか、制御部２１側から与えられる減光量にも基づいて発光時間を求める発光時間演算部２８０ｃと、その発光時間演算部２８０ｃで求められた発光時間に基づいてその発光時間に応じた信号ＦＴをトランジスタＩＧＢＴのゲートに供給する発光制御部２８０ｄとに分けられる。
【００４４】
図３に示すようにこの発光時間演算部２８０ｃには、温度検出部２８０ａからの検出温度とともにＡ／Ｄ変換部２８０ｂを経由して電圧モニタにより検出されたメインコンデンサの電圧が与えられ、また図２に示した制御部２１から減光量が与えられているので、発光時間演算部２８０ｃではこれらの情報に基づいて発光時間が求められる。この発光時間演算部２８０ｃは、減光量と内部温度とに基づいて基準発光時間を求める演算式を記憶しておくものであり、その記憶されている演算式は、各温度範囲内が一次式であって全体として折れ線であらわされる式によって示されるものである。ただし、一部の減光量および赤目に対応する欄は、各温度範囲内ごとに一定値が割り当てられている。各一次式は検知温度を変数としたものであり、検知温度が温度検出部２８０ａから発光時間演算部２８０ｃに与えられると、その温度に応じた発光時間が一義的に定められる。また発光時の絞り、フィルム感度、および被写体距離に応じても発光時間を調節して閃光の光量を最適化する必要があるので、温度に加えて、上述の減光量に応じても時間が定められるようになっている。その発光時間演算部２８０ｃに記録されている、発光時間を求めるための演算式を表わすテーブルを表１に示す。
【００４５】
この表１の各欄に示されている一次式および一定値は、メインコンデンサＭＣの電圧が所定の基準電圧Ｖｆにあったときの基準発光時間Ｔｆを求めるためのものである。
【００４６】
【表１】
2004252413.tif 000003
【００４７】
表１には減光量を示すＥＶ値と温度センサによって検出された温度との２つのパラメータの組み合わせごとに発光時間が複数示されており、この表１ではそれらの組み合わせ１つ１つに対して発光時間が個別に定められることが示されている。ここでは、被写界輝度が低輝度のため外光の光量不足を補うため閃光を発してフィルムに適正な光量を与える必要があると制御部２１で判定されたときに、制御部２１により算出された減光量がＥＶ値として閃光発光制御部２８側に与えられる。この減光量を示すＥＶ値は、閃光発光制御部２８でフル発光を行なう場合を基準（０．０）として、発光時の絞り径、フィルム感度、および被写体距離で求められる減光量に応じて閃光の光量が減光されることが−０．１、−０．２…という数字で示されている。つまり減光量を示すＥＶ値が−１．０であればフル発光時の光量の１／２の光量、−２．０であればＥＶ値−１．０のときの光量に対して１／２の光量、…というように閃光の光量が、制御部２１（図２参照）で求められた減光量に応じて減光されることが表１には示されている。また、最下位欄には赤目防止モードのときのＥＶ値−２．８も示されている。赤目防止モードが選択されたときには制御部２１からシャッタ駆動制御部２３へ予備発光が行われることが伝えられ、その予備発光時の減光量がＥＶ値−２．８として示されている。
【００４８】
ここで表１に基づく発光時間の調節の仕方をより分かりやすくするため、数値を掲げて表１の機能を説明する。
【００４９】
たとえば温度検出部２８０ａによって検知された温度が２５℃で、制御部２１側で定められたＥＶ値が−３．０であるとすれば、一次式ｙ＝−０．３８８７×ｘ＋４７．５４３に基づいて発光時間が求められる。この一次式の中にある符号ｘに温度ここでは２５℃が代入されて符号ｙすなわち基準発光時間Ｔｆとして３７．８２５５μｓが求められる。また、ＥＶ値−３．０で、温度が−１１℃であったとすれば基準発光時間Ｔｆは一定値１２０μｓになる。
【００５０】
また、赤目防止モードが選択され、予備発光と本発光が連続して行なわれるときに温度センサ２９０により検知された温度が２５℃であったとすると、予備発光の発光時間を３８μｓｅｃとしてその発光時間で連続的に予備発光が行なわれた後、減光量に応じたＥＶ値がたとえば−３．０とすれば、ＥＶ値−３．０と温度２５℃とに対応する一次式で求められた基準発光時間３７．８２５５μｓがさらにその本発光の直前に検出されたメインコンデンサの電圧に応じて補正された発光時間で本発光が行なわれる。
【００５１】
このように、減光量にあっては１３通りの発光時間（プラス、赤目防止モードにおける予備発光の発光時間１通り）が求められ、さらにそれらの発光時間を、検出温度に応じて６通りの発光時間に細かく調整することができるようになる。
【００５２】
このように表１に基づいて基準発光時間が定められたら、通常発光モードの場合はその基準発光時間に応じた信号（赤目防止モードの場合の本発光の場合は、さらにメインコンデンサの電圧によりその基準発光時間が調整された発光時間に応じた信号）が発光制御部２８０ｄからトランジスタＩＧＢＴに向けて出される。この発光制御部２８０ｄは発光開始を指示してから発光時間演算部２８０ｃで求められた発光時間経過後に発光停止を指示するものである。
【００５３】
図３にはこの発光指示と発光停止を指示する信号として閃光発光指示信号ＦＴが示されている。この閃光発光指示信号ＦＴは、ローレベル状態からハイレベル状態に移行するときに閃光発光開始を指示するものであり、その閃光を開始させた後ハイレベル状態に保持されることで閃光を発光時間分継続させるものであり、その継続された後ハイレベル状態からローレベル状態に移行するときに発光停止を指示するものである。
【００５４】
また、マイコン２８０内の発光制御部２８０ｄからトランジスタＩＧＢＴへ発光停止の指示が発せられた後またはこのカメラの未使用時間が長時間にわたり、メインコンデンサＭＣの電圧が低下していることが電圧モニタ２８２により検知されたときには充電制御部２８０ｅによってメインコンデンサＭＣの充電を行えるようになっている。
【００５５】
しかし、上記表１で求められた基準発光時間Ｔｆで閃光を発光すると、連続発光が行なわれるときなどにメインコンデンサの電圧が低下して本発光時の光量を確保することができないことがある。
【００５６】
そこで本実施形態のカメラでは、予備発光が行なわれた後の本発光の直前にメインコンデンサＭＣの電圧が検出され、その電圧が所定の基準電圧よりも低下していたときは発光時間制御部２８０Ｃ（図３参照）で、表１に基づいて求められた基準発光時間ＴｆをメインコンデンサＭＣの電圧の低下分だけ調節することも行っている。
【００５７】
図４を参照してその調節方法を説明する。
【００５８】
図４は通常発光モードのときの発光状態を示す波形図と、赤目防止モードが選択されて予備発光と本発光が行なわれるときの発光状態を示す波形図である。
【００５９】
図４にはメインコンデンサＭＣの電圧の状態を符号ＭＣで示し、また発光制御部２８０ｄからトランジスタＩＧＢＴのゲートに供給される信号ＦＴの状態を符号ＦＴで示し、またキセノン管の発光状態をＩｃ（発光）で示してある。さらに閃光発光中にどのように充電が行なわれるかを示すため、Ａ／Ｄ変換部２８０ｂと発光制御部２８０ｄの動作状態に応じて充電制御部２８０ｅから充電回路２８３に向けて出される充電命令も示してある。
図４の左側には通常発光モードで閃光が発せられたときの閃光の発光状態を示す波形図がＩｃ（発光）のところに示されている。このときにはメインコンデンサＭＣの電圧が所定の電圧値３０５Ｖにあり、表１に基づいた基準発光時間Ｔｆで閃光発光が行なわれている。図４には発光制御部２８０ｄからＩＧＢＴに向けて出力される信号ＦＴで閃光発光指示の状態が示され、その信号ＦＴによってＩＧＢＴが動作して閃光が発光された状態がＩｃ（発光）で示されている。図４に示すように信号ＦＴが基準発光時間Ｔｆの間ハイレベル状態になって閃光発光が行なわれている。なお図示はしていないが、閃光が発せられた後は充電制御部２８０ｅから充電回路２８３へ充電命令が出されて充電が行なわれるようになっている。
【００６０】
図４の右側には赤目防止モードが選択されて予備発光と本発光が行なわれたときの発光の状態を示す波形図が示されている。
【００６１】
この赤目防止モードが選択されたときには、予備発光が３回断続的に行なわれた後、７００ｍｓ後に本発光が行なわれている。この予備発光が断続的に行なわれているときおよび本発光に移行するときにはメインコンデンサＭＣの電圧を３０５Ｖに近づけるため、充電命令（ハイレベル状態にあるときが充電時）が充電制御部２８０ｅから充電回路２８３へ出されて充電が行なわれている。このときの充電命令を示す信号がハイレベル状態にあるときに充電が行なわれる。
【００６２】
このようにメインコンデンサＭＣの電圧を保つために充電が頻繁に行なわれるが、それでも本発光時のメインコンデンサＭＣの電圧は基準電圧である３０５Ｖに達しない。図４ではその基準電圧に達しない電圧値を２９５Ｖと示してある。このメインコンデンサの電圧が２９５Ｖのときに表１の基準発光時間Ｔｆで発光を行なったのでは光量不足が生じる。
【００６３】
そこで本実施形態のカメラでは、電圧モニタ２８２によりその低下した電圧を検知してその検知電圧ここでは２９５Ｖに基づいて発光時間Ｔを求めて、発光時間を調節してから本発光を行なうようにしている。
【００６４】
図４に示す数値を具体的に挙げて説明すると、赤目防止用の予備発光が１５０ｍｓごとにたとえば表１に基づいて３８μｓｅｃの発光時間で３回繰り返し行なわれた後７００ｍｓの間充電が行なわれてはいるがメインコンデンサＭＣの電圧が２９５Ｖまでにしか上昇していない。このときにも本発光を行なわなければならないが、メインコデンサの電圧が２９５Ｖのときにそのまま表１に基づく基準発光時間Ｔｆで閃光を発光したのでは、光量不足が発生する。表１にはメインコンデンサＭＣの電圧が基準電圧ここでは３０５Ｖのときの基準発光時間Ｔｆが示されている。そこで、この光量不足を補うために、メインコンデンサＭＣの電圧が所定の基準電圧Ｖｆここでは３０５Ｖにあったときに所定の基準発光時間Ｔｆで閃光発光したときと同じ光量が得られるように発光時間Ｔが発光時間演算部２８０ｃにより次式で求められる。
【００６５】
基準発光時間をＴｆ、基準電圧をＶｆここでは３０５Ｖ、検知電圧をＶここでは２９５Ｖ，発光開始指示から発光開始までの時間遅れに相当する定数をｔ０、発光時間をＴとしたとき、
Ｔ＝（Ｔｆ−ｔ０）×（Ｖｆ／Ｖ）＋ｔ０  …  （１）
に従って発光時間Ｔを求める。この式（１）では基準電圧と検知電圧との比例配分（３０５Ｖ／２９５Ｖ）により発光時間を調節することが行なわれている。
【００６６】
この式（１）では発光制御部２８０ｄからトランジスタＩＧＢＴに閃光発光指示信号ＦＴが供給されたときに、発光回路２８１からキセノン管Ｘｅにトリガ信号が供給され、キセノン管Ｘｅにトリガがかかりキセノンガスが励起を受け、次にキセノン管Ｘｅがアーク放電に移行するまでの時間を考慮して発光時間が求められている。本実施形態のカメラではこのアーク放電に至るまでの時間ｔ０を２〜７μｓｅｃとして、その２〜７μｓｅｃの中のいずれかの値が、キセノン管Ｘｅを含む閃光発光制御部２８の特性に応じて発光時間演算部２８０ｃ内のレジスタなどに記憶されるものとしている。
【００６７】
ここで式（１）によって発光時間Ｔが調節されると、閃光がどのように発せられるかを、図５を参照して説明する。
【００６８】
図５は図４に示す発光状態のうち、本発光が行なわれる部分を抜粋して示したものである。
【００６９】
図５には基準電圧Ｖここでは３０５Ｖと予備発光によって低下したメインコンデンサＭＣの検知電圧ここでは２９５Ｖが図４と同様に示されている。
図５の左側には基準発光時間Ｔｆが所定の発光時間３０μｓｅｃより短いときに、遅れ時間に相当する未発光時間ｔ０が全体の発光に対して大きく影響を及ぼすことが示されている。この影響を小さくするために、発光時間演算部２８０ｃでは式（１）を用いて遅れ時間に相当する未発光時間ｔ０分を考慮して発光時間を求めている。図５にはこの式（１）で求められた発光時間で閃光が発せられたことが実線の波形図で示されている。また、点線で示した波形図が、基準電圧Ｖ＝３０５Ｖのときに基準発光時間Ｔｆで閃光が発せられたことを示す図である。図５中実線で示すようにメインコンデンサＭＣの電圧低下分、式（１）を用いて発光時間を長くすることでメインコンデンサＭＣが基準電圧にあるときの閃光発光の光量と同じ光量を得ている。
【００７０】
このようにすると、絞り兼用シャッタが駆動され、所定の絞り径に達したタイミングにあわせて、メインコンデンサＭＣの検出電圧に加えて、遅れ時間に相当する時間ｔ０をも考慮した発光時間で、キセノン管Ｘｅに閃光発光を行なわせることができる。
【００７１】
また、右側には発光時間が所定の時間３０μｓｅｃ以上が発せられたときの、その閃光の発光状態が波形図により示されている。ただし、時間軸（横軸）のスケールは、左側の波形における時間軸のスケールとは異なっている。
【００７２】
図５の点線で示した波形図が基準電圧にあるときに基準発光時間Ｔｆで閃光が発せられたときの波形図であり、実線で示した波形図がメインコンデンサの電圧に基づいて調節された発光時間Ｔで閃光が発せられたときの波形図である。
このときには発光時間全体に対する割合からすると、遅れに相当する未発光時間ｔ０は波形の立ち上がり部分に若干観測されるだけで全体の発光時間にあまり寄与していないのが分かる。基準発光時間Ｔｆが３０μｓ以上のときには式（１）と式（２）で求められる発光時間にあまり差が生じない。そこで基準発光時間Ｔｆが所定の時間Ｔ１ここでは３０μｓｅｃよりも長い場合には、遅れ時間ｔ０が省略されて、
Ｔ＝Ｔｆ×（Ｖｆ／Ｖ）  …  （２）
で発光時間Ｔを簡単に求めるようにしている。このようにすると発光時間演算部２８０ｃでの演算が簡略化され、所定の時間Ｔ１ここでは３０μｓｅｃ以上閃光が発せられるときには発光時間演算部２８０ｃの負荷が軽減される。
【００７３】
なお、本実施形態のカメラ１ではレンズ兼用シャッタを有するカメラの構成を説明したが、本発明はこれによらず、絞りとシャッタとが別体のものであってもよく、その別体の絞りが多段階に切り替えられるカメラであっても良い。
【００７４】
また、本実施形態のカメラは、写真フィルム上に写真撮影を行なうタイプのカメラであるが、本発明は撮像素子を備えその撮影素子上に被写体像を結像して画像データを生成するタイプのカメラにも適用することができる。
【図面の簡単な説明】
【００７５】
【図１】本発明の実施形態であるカメラの外観を示す斜視図である。
【図２】本実施形態のカメラの内部構成を示す図である。
【図３】図２に示す閃光発光制御部の内部構成を示す図である。
【図４】予備発光から本発光が行なわれるときの閃光の発光状態を示す波形図である。
【図５】図４に示す発光状態のうち、本発光が行なわれる部分を抜粋して示した図である。
【符号の説明】
【００７６】
１    カメラ
１０    レンズ鏡胴
１０１    前面レンズ
１１ａ    投光窓
１１ｂ    受光窓
１２    ファインダ対物窓
１３    ＡＥ受光窓
１４    閃光発光窓
２１    制御部
２２    測光部
２３    シャッタ駆動部
２４    測距センサ
２５    駆動制御部
２８    閃光発光制御部
２８０    マイコン
２８０ａ    温度検出部
２８０ｂ    Ａ／Ｄ変換部
２８０ｃ    発光時間演算部
２８０ｄ    発光制御部
２８０ｅ    充電制御部
２８１    発光回路
２８２    電圧モニタ
２８３    充電回路
Ｘｅ    キセノン管
ＭＣ    メインコンデンサ
ＩＧＢＴ    トランジスタ
【図１】
2004252413.tif 000004
【図２】
2004252413.tif 000005
【図３】
2004252413.tif 000006
【図４】
2004252413.tif 000007
【図５】
2004252413.tif 000008